(57)【要約】【課題】  短絡事故を発生させることなく簡単な作業でケーブルの着脱を行うことのできる低圧電気計器用ケーブル接続具を提供する。【解決手段】  ケーブルを接続する複数のケーブル接続部のそれぞれが、ケーブルの導体を挿入可能に形成されたケーブル挿入穴に外部から操作可能なケーブル押螺子が出退可能に設けられ低圧電気計器に対し、電源側及び負荷側のケーブルを接続するための低圧電気計器用ケーブル接続具であって、複数のケーブル接続体と、ケーブル接続体を保持する保持体とを備え、各ケーブル接続体は、ケーブル挿入穴に挿入される挿入部と、ケーブルの先端に取り付けられた接続子を圧入可能に形成された導電性を有する接続端子部とを備え、ケーブル接続体又は保持体の少なくとも何れか一方は、接続端子部を包囲する筒状の絶縁端子カバー部を備え、絶縁端子カバー部が接続端子部毎に設けられている。【選択図】図３
2011069791.tif 000002
【特許請求の範囲】
【請求項１】
電源側のケーブル及び負荷側のケーブルを接続するためのケーブル接続部を備え、ケーブル接続部は、ケーブルの導体を挿入する複数のケーブル挿入穴が横並びに形成された接続部本体と、各ケーブル挿入穴に対応するように接続部本体に螺入され、各ケーブル挿入穴内に先端部が出退可能に設けられた複数のケーブル押螺子とを備え、各ケーブル挿入穴内に挿入されたケーブルの導体をケーブル押螺子で押さえてケーブルを電気的に接続するように構成された低圧電気計器に対して取り付けられる低圧電気計器用ケーブル接続具であって、低圧電気計器に接続すべきケーブルの数に対応して設けられた複数のケーブル接続体と、複数のケーブル接続体を保持する保持体とを備え、各ケーブル接続体は、ケーブル挿入穴に挿入される導電性を有する挿入部と、挿入部に対して電気的に接続されるとともに、ケーブルの先端に取り付けられた接続子を圧入可能に形成された導電性を有する接続端子部とを備え、ケーブル接続体又は保持体の少なくとも何れか一方は、接続端子部を包囲する筒状の絶縁端子カバー部を備え、絶縁端子カバー部が接続端子部毎に設けられていることを特徴とする低圧電気計器用ケーブル接続具。
【請求項２】
保持体は、横並びに配置された複数のケーブル接続体のそれぞれを横方向にスライド可能に保持するように構成されている請求項１に記載の低圧電気計器用ケーブル接続具。
【請求項３】
接続端子部は、所定の間隔をあけて配置された一対の導電性端子片を備え、一対の導電性端子片は、絶縁端子カバー部の開口端から進入させた接続子を挟持可能に構成されている請求項１又は２に記載の低圧電気計器用ケーブル接続具。
【請求項４】
ケーブルの先端部に接続子を包囲する筒状の絶縁接続子カバーがケーブルの軸心周りで回転可能に設けられ、絶縁端子カバー部及び絶縁接続子カバーは、互いに螺合可能に構成され、絶縁端子カバー部及び絶縁接続子カバーの螺合に伴って接続子が接続端子部に圧入するように構成されている請求項１乃至３の何れか１項に記載の低圧電気計器用ケーブル接続具。
【請求項５】
電源側のケーブル、及び負荷側のケーブルを接続するためのケーブル接続部を備えた低圧電気計器であって、ケーブル接続部は、接続すべきケーブルの数に対応して設けられ、ケーブルの先端に取り付けられた接続子を圧入可能に形成された導電性を有する複数の接続端子部と、接続端子部を包囲する筒状の絶縁端子カバー部とを備え、絶縁端子カバー部が接続端子部毎に設けられていることを特徴とする低圧電気計器。
【請求項６】
接続端子部は、所定の間隔をあけて配置された一対の導電性端子片を備え、一対の導電性端子片は、絶縁端子カバー部の開口端から進入させた接続子を挟持可能に構成されている請求項５に記載の低圧電気計器。
【請求項７】
ケーブルの先端部に接続子を包囲する筒状の絶縁接続子カバーがケーブルの軸心周りで回転可能に設けられ、絶縁端子カバー部及び絶縁接続子カバーは、互いに螺合可能に構成され、絶縁端子カバー部及び絶縁接続子カバーの螺合に伴って接続子が接続端子部に圧入するように構成されている請求項５又は６に記載の低圧電気計器。
【発明の詳細な説明】
【技術分野】
【０００１】
本発明は、積算電力計等の低圧電気計器に対してケーブルを接続するための低圧電気計器用ケーブル接続具、及び積算電力計等の低圧電気計器に関する。
【背景技術】
【０００２】
一般家庭や工場等に設置される積算電力計等の低圧電気計器は、図１に示す如く、電源側（一次側）のケーブルＬ…、及び負荷側（二次側）のケーブルＬ…を接続するケーブル接続部１０を備えている。かかるケーブル接続部１０は、種々タイプのものがあるが、一般的に、図２に示す如く、ケーブルＬ…の導体Ｃを挿入する複数のケーブル挿入穴１１０…が横並びに形成された接続部本体１１と、各ケーブル挿入穴１１０…に対応するように接続部本体１１に螺入され、各ケーブル挿入穴１１０…内に先端部が出退可能に設けられた複数のケーブル押螺子１２…とを備え、各ケーブル挿入穴１１０…内に挿入されたケーブルＬ…の導体Ｃをケーブル押螺子１２…で押さえてケーブルＬ…を接続するようにしたものが採用されている。
【０００３】
ところで、一般家庭等に設置された低圧電気計器１は、通常、一定の周期（例えば、１０年周期）で新品の低圧電気計器１、又はオーバーホールされた低圧電気計器１に交換される。そして、低圧電気計器１の交換作業は、電源側のケーブルＬ…が活線状態のままで行われるのが現状である。
【０００４】
そのため、低圧電気計器１の交換作業（主としてケーブル接続部１０に対するケーブルＬ…の着脱作業）は、慎重を期して行われるが、ケーブルＬ…を着脱するに際し、例えば、ケーブル押螺子１２…の頭部に係合していたドライバー等の工具が滑って隣接するケーブル押螺子１２…に接触したり、ケーブル押螺子１２…を操作するのにドライバーを寝かせ過ぎて該ドライバーが周辺のケーブル押螺子１２…に接触したりすることがあり、そのケーブル押螺子１２…が活線状態にあるケーブルＬ…を固定したものであると、短絡事故が発生してしまう。
【０００５】
このような実情に鑑み、ケーブルＬ…の着脱作業を行う際（ケーブル押螺子１２…に対して操作を行う際）に短絡事故が発生するのを防止するための低圧電気計器用短絡防止具が提供されている（例えば、特許文献１及び２参照）。
【０００６】
かかる低圧電気計器用短絡防止具は、低圧電気計器１のケーブル接続部１０を覆うことができるようにカバー状に形成されるとともに、ケーブル押螺子１２…を露呈させる窓穴が形成されている。これにより、上記構成の低圧電気計器用短絡防止具は、窓穴から対象となるケーブル押螺子１２…にドライバー等の工具を接続でき、また、ケーブル押螺子１２…に対してドライバー等の工具を接続する際、工具が隣接するケーブル押螺子１２…と接触する前に窓穴周縁に干渉し、他のケーブル押螺子１２…と接触するのを防止できるようになっている。これにより、上記構成の低圧電気計器用短絡防止具は、ケーブルＬ…の着脱作業を行う際、短絡事故の発生を防止できるとしている。
【先行技術文献】
【特許文献】
【０００７】
【特許文献１】特開２００２−５５１２１号公報
【特許文献２】特開２００６−８４３７４号公報
【発明の概要】
【発明が解決しようとする課題】
【０００８】
しかしながら、上記構成の低圧電気計器用短絡防止具は、常時、窓穴からケーブル押螺子１２…が外部に露呈しているため、短絡事故の発生を確実に防止できないといった問題がある。また、上記構成の低圧電気計器用短絡防止具は、短絡事故の発生を防止することを目的に提案されたものであるため、ケーブルＬ…の着脱作業の作業性については何ら改善されていない。すなわち、上記構成の低圧電気計器用短絡防止具は、低圧電気計器１（ケーブル接続部１０）の各ケーブル押螺子１２…に対する操作を行わなければケーブルＬ…の着脱を行うことができず、低圧電気計器１のケーブル接続部１０に対するケーブルＬ…の着脱作業が煩雑であるといった問題がある。
【０００９】
そこで、本発明は、斯かる実情に鑑み、短絡事故を発生させることなく簡単な作業でケーブルの着脱を行うことのできる低圧電気計器用ケーブル接続具、及び低圧電気計器を提供することを課題とする。
【課題を解決するための手段】
【００１０】
本発明は、電源側のケーブル及び負荷側のケーブルを接続するためのケーブル接続部を備え、ケーブル接続部は、ケーブルの導体を挿入する複数のケーブル挿入穴が横並びに形成された接続部本体と、各ケーブル挿入穴に対応するように接続部本体に螺入され、各ケーブル挿入穴内に先端部が出退可能に設けられた複数のケーブル押螺子とを備え、各ケーブル挿入穴内に挿入されたケーブルの導体をケーブル押螺子で押さえてケーブルを電気的に接続するように構成された低圧電気計器に対して取り付けられる低圧電気計器用ケーブル接続具であって、低圧電気計器に接続すべきケーブルの数に対応して設けられた複数のケーブル接続体と、複数のケーブル接続体を保持する保持体とを備え、各ケーブル接続体は、ケーブル挿入穴に挿入される導電性を有する挿入部と、挿入部に対して電気的に接続されるとともに、ケーブルの先端に取り付けられた接続子を圧入可能に形成された導電性を有する接続端子部とを備え、ケーブル接続体又は保持体の少なくとも何れか一方は、接続端子部を包囲する筒状の絶縁端子カバー部を備え、絶縁端子カバー部が接続端子部毎に設けられていることを特徴とする。
【００１１】
上記構成の低圧電気計器用ケーブル接続具によれば、各ケーブル接続部の挿入部を低圧電気計器のケーブル挿入穴に挿入した上で、ケーブル押螺子で挿入部を押さえることで、ケーブル接続体が低圧電気計器に通電可能な状態で取り付けられる。そして、低圧電気計器に取り付けた低圧電気計器用ケーブル接続具の接続端子部に対し、ケーブルの先端に取り付けられた接続子を接続すると、接続端子部を包囲した絶縁端子カバー部に接続子も包囲された状態になる。これにより、ケーブルの接続部分（導電性のある部分）が外部に露呈することがないため、充電状態であったとしてもケーブルの接続部分に何らかが接触して短絡するといった事態になることを確実に防止することができる。
【００１２】
その上、上記構成の低圧電気計器用ケーブル接続具は、ケーブルの先端に取り付けられた接続子が圧入可能な導電性を有する接続端子部を備えているため、ケーブルの先端に取り付けられた接続子を接続端子部に圧入するとその圧（押圧力）で接続子と接続端子部とを電気的に接続した状態で維持することができる。従って、上記構成の低圧電気計器用ケーブル接続具は、ドライバー等の工具を用いることなく接続端子部に対して接続子を抜き差しするだけで、ケーブルの着脱を行うことができる。
【００１３】
そして、本発明に係る低圧電気計器用ケーブル接続具の一態様として、保持体は、横並びに配置された複数のケーブル接続体のそれぞれを横方向にスライド可能に保持するように構成されていることが好ましい。低圧電気計器は、メーカーや機種によってケーブル挿入穴の配置（間隔）が様々であるが、上述の如く、前記保持体が複数のケーブル接続体のそれぞれを横方向にスライド可能に保持することで、各ケーブル接続体の挿入部をケーブル挿入穴の配置に対応させることができる。従って、上記構成の低圧電気計器用ケーブル接続具は、低圧電気計器のメーカーや機種に関係なく、低圧電気計器に接続することができる。
【００１４】
本発明に係る低圧電気計器用ケーブル接続具の他態様として、接続端子部は、所定の間隔をあけて配置された一対の導電性端子片を備え、一対の導電性端子片は、絶縁端子カバー部の開口端から進入させた接続子を挟持可能に構成されていることが好ましい。このようにすれば、接続端子部に対する接続子の圧入（挿入）を円滑に行うことができる上に、接続子と接続端子部とを確実に電気接続することができる。
【００１５】
さらに、本発明に係る低圧電気計器用ケーブル接続具の別の態様として、ケーブルの先端部に接続子を包囲する筒状の絶縁接続子カバーがケーブルの軸心周りで回転可能に設けられ、絶縁端子カバー部及び絶縁接続子カバーは、互いに螺合可能に構成され、絶縁端子カバー部及び絶縁接続子カバーの螺合に伴って接続子が接続端子部に圧入するように構成されていることが好ましい。このようにすれば、ドライバー等の工具を用いることなくケーブルを簡単に接続することができる上に、絶縁端子カバー部及び絶縁接続子カバーの螺合でケーブル（接続子）とケーブル接続体（接続端子部）との接続を確実にすることができる。
【００１６】
本発明に係る低圧電気計器は、電源側のケーブル、及び負荷側のケーブルを接続するためのケーブル接続部を備えた低圧電気計器であって、ケーブル接続部は、接続すべきケーブルの数に対応して設けられ、ケーブルの先端に取り付けられた接続子を圧入可能に形成された導電性を有する複数の接続端子部と、接続端子部を包囲する筒状の絶縁端子カバー部とを備え、絶縁端子カバー部が接続端子部毎に設けられていることを特徴とする。
【００１７】
上記構成の低圧電気計器によれば、ケーブル接続部の接続端子部に対し、ケーブルの先端に取り付けられた接続子を接続すると、接続端子部を包囲した絶縁端子カバー部に接続子も包囲された状態になる。これにより、ケーブルの接続部分（導電性のある部分）が外部に露呈することがないため、充電状態であったとしてもケーブルの接続部分に何らかが接触して短絡するといった事態になることを確実に防止することができる。
【００１８】
その上、上記構成の低圧電気計器は、ケーブルの先端に取り付けられた接続子が圧入可能な導電性を有する接続端子部を備えているため、ケーブルの先端に取り付けられた接続子を接続端子部に圧入するとその圧（押圧力）で接続子と接続端子部とを電気的に接続した状態で維持することができる。従って、上記構成の低圧電気計器用ケーブル接続具は、ドライバー等の工具を用いることなく接続端子部に対して接続子を抜き差しするだけで、ケーブルの着脱を行うことができる。
【００１９】
本発明に係る低圧電気計器の一態様として、接続端子部は、所定の間隔をあけて配置された一対の導電性端子片を備え、一対の導電性端子片は、絶縁端子カバー部の開口端から進入させた接続子を挟持可能に構成されていることが好ましい。このようにすれば、接続端子部に対する接続子の挿入を円滑に行うことができる上に、接続子と接続端子部とを電気的に接続することができる。
【００２０】
そして、本発明に係る低圧電気計器の他態様として、ケーブルの先端部に接続子を包囲する筒状の絶縁接続子カバーがケーブルの軸心周りで回転可能に設けられ、絶縁端子カバー部及び絶縁接続子カバーは、互いに螺合可能に構成され、絶縁端子カバー部及び絶縁接続子カバーの螺合に伴って接続子が接続端子部に圧入するように構成されていることが好ましい。このようにすれば、ドライバー等の工具を用いることなくケーブルを簡単に接続することができる上に、絶縁端子カバー部及び絶縁接続子カバーの螺合でケーブル（接続子）とケーブル接続体（接続端子部）との接続を確実にすることができる。
【発明の効果】
【００２１】
以上のように、本発明の低圧電気計器用ケーブル接続具によれば、短絡事故を発生させることなく簡単な作業でケーブルの着脱を行うことができるという優れた効果を奏し得る。
【００２２】
また、本発明の低圧電気計器においても、短絡事故を発生させることなく簡単な作業でケーブルの着脱を行うことができるという優れた効果を奏し得る。
【図面の簡単な説明】
【００２３】
【図１】本発明の第一及び第二実施形態に係る低圧電気計器用ケーブル接続具の接続対象となる既存の低圧電気計器の斜視図を示す。
【図２】図１に示す既存の低圧電気計器における従来のケーブルの接続態様を説明するための説明図を示す。
【図３】第一実施形態に係る低圧電気計器用ケーブル接続具の斜視図であって、該低圧電気計器用ケーブル接続具に接続するケーブルの一部、該ケーブルに取り付けられる接続子、及び絶縁接続子カバーを含む斜視図を示す。
【図４】第一実施形態に係る低圧電気計器用ケーブル接続具の説明図であって、（ａ）は、可動カバーを開いた状態の部分正面図を示し、（ｂ）は、（ａ）のＩ−Ｉ断面図を示す。
【図５】第一実施形態に係る低圧電気計器用ケーブル接続具に接続するケーブルに取り付けられる接続子、絶縁接続子カバー、及び抜止部材を説明するための斜視図を示す。
【図６】図５に示す接続子、絶縁接続子カバー、及び抜止部材をケーブルに取り付ける作業工程を説明するための工程図であって、（ａ）は、ケーブルに絶縁接続子カバーを外嵌した状態を示し、（ｂ）は、ケーブルに抜止部材を外嵌した状態を示し、（ｃ）は、ケーブルの導体にスリーブを外嵌した状態を示し、（ｄ）は、接続子を絶縁接続子カバーで覆った状態であって、絶縁接続子カバーの開口端にキャップを取り付ける状態を示す。
【図７】第一実施形態に係る低圧電気計器用ケーブル接続具を低圧電気計器に取り付ける作業工程、及び、低圧電気計器用ケーブル接続具にケーブルを接続する作業工程を説明するための説明図であって、（ａ）は、低圧電気計器のケーブル挿入穴に低圧電気計器用ケーブル接続具の挿入部を挿入する状態を示し、（ｂ）は、挿入部をケーブル押螺子で固定する状態を示し、（ｃ）は、低圧電気計器用ケーブル接続具の可動カバーを開いた状態を示し、（ｄ）は、低圧電気計器用ケーブル接続具にケーブルを接続した状態を示す。
【図８】第一実施形態に係る低圧電気計器用ケーブル接続具を低圧電気計器に接続した状態の断面図であって、（ａ）は、低圧電気計器用ケーブル接続具にケーブルを接続する状態を示し、（ｂ）は、低圧電気計器用ケーブル接続具にケーブルを接続した状態を示す。
【図９】本発明の第二実施形態に係る低圧電気計器用ケーブル接続具の斜視図を示す。
【図１０】第二実施形態に係る低圧電気計器用ケーブル接続具の分解斜視図を示す。
【図１１】第二実施形態に係る低圧電気計器用ケーブル接続具の説明図であって、（ａ）は、可動カバーを開いた状態の部分正面図を示し、（ｂ）は、ケーブルの一部、該ケーブルに取り付けられる接続子、及び絶縁接続子カバーを含んだ（ａ）のＩＩ−ＩＩ断面図を示す。
【図１２】第二実施形態に係る低圧電気計器用ケーブル接続具の機能を説明するための斜視図であって、保持体の一部を省略した（保持体の一部を仮想線で示した）斜視図を示す。
【図１３】本発明の第三実施形態に係る低圧電気計器の部分斜視図であって、（ａ）は、カバーを開いた状態を示し、（ｂ）は、ケーブル接続部にケーブルを接続した状態を示す。
【図１４】第三実施形態に係る低圧電気計器の部分断面図であって、（ａ）は、低圧電気計器用ケーブル接続具にケーブルを接続する状態を示し、（ｂ）は、低圧電気計器用ケーブル接続具にケーブルを接続した状態を示す。
【図１５】本発明の他実施形態に係る低圧電気計器用ケーブル接続具の斜視図を示す。
【発明を実施するための形態】
【００２４】
以下、本発明の第一実施形態について、添付図面を参照しつつ説明する。
【００２５】
まず、本実施形態に係る低圧電気計器用ケーブル接続具（以下、単に接続具という。）の説明に先立ち、該接続具の接続対象となる低圧電気計器について概略説明する。
【００２６】
かかる低圧電気計器は、一般家庭や工場設備等に設置される従来からある既存の積算電力計やその他計器類であり、図１及び図２に示す如く、電源側（一次側）のケーブルＬ、及び、負荷側（二次側）のケーブルＬを接続するためのケーブル接続部１０を備えている。なお、低圧電気計器１は、ケーブル接続部１０以外に、電力を計測するための計測手段（採番しない）や、計測手段によって取得された計測結果を表示するための表示部（採番しない）等を備えているが、これらの構成についての説明は割愛し、ここではケーブル接続部１０についてのみ説明する。
【００２７】
ケーブル接続部１０は、図２に示す如く、ケーブルＬの導体Ｃを挿入する複数のケーブル挿入穴１１０…が横並びに形成された接続部本体１１と、各ケーブル挿入穴１１０…に対応するように接続部本体１１に螺入され、各ケーブル挿入穴１１０…内に先端部が出退可能に設けられた複数のケーブル押螺子１２…とを備えている。
【００２８】
前記ケーブル挿入穴１１０…は、接続するケーブルＬの数に対応して設けられるもので、単相二線式である場合には、電源側のケーブルＬ及び負荷側のケーブルＬのそれぞれが二本ずつ接続されるため、ケーブル接続部１０（接続部本体１１）には、電源側のケーブルＬを挿入する二つのケーブル挿入穴１１０…と、負荷側のケーブルＬを挿入する二つのケーブル挿入穴１１０…とが形成され、単相三線式、又は三相である場合には、電源側のケーブルＬ及び負荷側のケーブルＬのそれぞれが三本ずつ接続されるため、図２に示す如く、ケーブル接続部１０（接続部本体１１）には、電源側のケーブルＬを挿入する三つのケーブル挿入穴１１０…と、負荷側のケーブルＬを挿入する三つのケーブル挿入穴１１０…とが形成される。
【００２９】
上記構成のケーブル接続部１０は、各ケーブル挿入穴１１０…内に挿入されたケーブルＬの導体Ｃをケーブル押螺子１２…で押さえてケーブルＬを接続するように構成されている。
【００３０】
本実施形態に係る接続具は、上記構成のケーブル接続部１０を備えた低圧電気計器１を接続対象とするもので、図３及び図４（ａ）に示す如く、低圧電気計器１に接続すべきケーブルＬ…の数（本実施形態においては六本）に対応して設けられた複数のケーブル接続体２０…と、複数のケーブル接続体２０…を保持する保持体２５とを備えている。
【００３１】
そして、低圧電気計器１が単相二線式を対象とする場合、低圧電気計器１に対して電源側のケーブルＬ及び負荷側のケーブルＬのそれぞれを二本ずつ接続しなければならないため、ケーブル接続体２０…は、電源側として二つ、負荷側として二つ設けられる。これに対し、低圧電気計器１が単相三線式、又は三相を対象とする場合、低圧電気計器１に対して電源側のケーブルＬ及び負荷側のケーブルＬのそれぞれを三本ずつ接続しなければならないため、ケーブル接続体２０…は、電源側として三つ、負荷側として三つ設けられる。なお、図１及び図２に示す低圧電気計器１は、三相を対象としており、本実施形態に係る接続具２は、これを対象にしてケーブル接続体２０…が六つ設けられている。
【００３２】
そして、各ケーブル接続体２０…は、図４（ｂ）に示す如く、ケーブル挿入穴１１０…に挿入される導電性を有する挿入部２００と、挿入部２００に対して電気的に接続されるとともに、ケーブルＬの先端に取り付けられた接続子３（図３及び図５参照）が圧入可能な導電性を有する接続端子部２１０とを備えている。また、本実施形態に係るケーブル接続体２０…は、それぞれ自己の接続端子部２１０を包囲する筒状の絶縁端子カバー部２２０を備えている。
【００３３】
より具体的に説明すると、本実施形態に係るケーブル接続体２０…は、挿入部２００及び接続端子部２１０が一体的に成型された導電部材２１と、挿入部２００を除いて導電部材２１を覆う被覆部材２２とを備えている。
【００３４】
前記導電部材２１は、銅やアルミ等の導電性に優れた金属材料で成型されたもので、挿入部２００、接続端子部２１０に加え、これらを接続する接続導電部２１５を備えている。前記挿入部２００は、ケーブル挿入穴１１０…に挿入（遊挿）可能な外径に設定される。本実施形態に係る導電部材２１は、挿入部２００と接続導電部２１５とが連続して形成されており、これらが同径で且つ同心をなしている。すなわち、挿入部２００及び接続導電部２１５は、一本の円柱体で形成されている。
【００３５】
前記接続端子部２１０は、所定の間隔をあけて配置された一対の導電性端子片２１１，２１１を備えている。一対の導電性端子片２１１，２１１は、絶縁端子カバー部２２０の開口端から進入させた接続子３を挟持可能に構成されている。すなわち、一対の導電性端子片２１１，２１１は、接続子３の厚みよりもやや狭い間隔をあけて配置されており、挿入された接続子３を自己の弾性によって挟み込んで挟持するようになっている。一対の導電性端子片２１１，２１１のそれぞれは、一端（基端部）が接続導電部２１５の端面に接続されている。また、一対の導電性端子片２１１，２１１は、他端部（先端部）が相手側の導電性端子片２１１，２１１から遠ざかるように折り曲げられており、先端部において、基端側から先端に向けて互いの間隔が拡大している。これにより、一対の導電性端子片２１１，２１１は、接続子３を他端側から容易に挿入できるようになっている。
【００３６】
前記被覆部材２２は、絶縁材料（例えば、樹脂）を成型したもので、一面から接続端子部２１０を突出させるとともに、前記一面とは反対の面側から挿入部２００を突出させるように、接続導電部２１５を被覆したブロック状の被覆部材本体２２１と、該被覆部材２２の一面に突設され、接続端子部２１０を包囲した筒状の絶縁端子カバー部２２０とを備えている。なお、本実施形態に係る被覆部材２２は、被覆部材本体２２１の挿入部２００の突出した面上に筒状部２２２が形成されており、被覆部材本体２２１及び筒状部２２２で接続導電部２１５全体を被覆している。
【００３７】
前記絶縁端子カバー部２２０は、後述する絶縁接続子カバー４（図３、及び図５参照）と螺合可能に形成されており、本実施形態においては、外周に雄ネジが形成されている。
【００３８】
本実施形態に係る接続具２は、図３及び図４（ａ）に示す如く、被覆部材本体２２１同士を密接させるように複数のケーブル接続体２０…を横並びに配置することで、各ケーブル接続体２０…の挿入部２００の配置が低圧電気計器１のケーブル挿入穴１１０…の配置に対応した配置になるように構成されている。すなわち、各ケーブル接続体２０…の被覆部材本体２２１は、横並びに配置したときに隣り合うケーブル接続体２０…と互いに位置決めし合い、各挿入部２００が低圧電気計器１のケーブル挿入穴１１０…に挿入できる配置になるようにサイズが設定されている。
【００３９】
前記保持体２５は、図３及び図４（ｂ）に示す如く、複数のケーブル接続体２０…を保持するように構成されている。すなわち、保持体２５は、複数のケーブル接続体２０…を横並び状態で維持させつつ保持するように構成されている。
【００４０】
本実施形態に係る保持体２５は、当該接続具２のケーシングであり、各ケーブル接続体２０…を保持する保持部２５０と、該保持部２５０に保持されたケーブル接続体２０…の接続端子部２１０、及びこれを包囲した絶縁端子カバー部２２０を覆うカバー２６０とを備えている。
【００４１】
前記保持部２５０は、図３、図４（ａ）及び図４（ｂ）に示す如く、一面を開放させた箱状に形成されている。そして、保持部２５０は、開放した一面と対向する壁部２５０ａにケーブル接続体２０…の挿入部２００を挿通させるための挿通穴２５１…が穿設されている。該保持部２５０は、複数のケーブル接続体２０…の被覆部材本体２２１を略密接状態で一列に配置した状態で収容できるようになっており、各壁部２５０ａ，２５０ｂ，２５０ｃ，２５０ｄ，２５０ｅとの接触で、各被覆部材本体２２１の移動を拘束するようになっている。これに伴い、開放した一面と対向する保持部２５０の壁部２５０ａには、複数の挿通穴２５１…がケーブル接続体２０…の配置に対応した間隔で穿設されている。なお、本実施形態においては、上述の如く、被覆部材本体２２１に筒状部２２２が突設されているため、前記挿入穴１１０…は、筒状部２２２を挿通できるように、穴径が筒状部２２２の外径よりも大きく設定されている。
【００４２】
そして、カバー２６０は、接続端子部２１０に対する外部からのアクセスを制限するために設けられたもので、本実施形態においては、保持体２５を箱状に形成すべく枠状をなす壁部２５０ｂ，２５０ｃ，２５０ｄ，２５０ｅ（挿通穴２５１の形成された壁部２５０ａの外周に接続された四つの壁部２５０ｂ，２５０ｃ，２５０ｄ，２５０ｅ）のうち、一つの壁部２５０ｂの先端に連設されたベースカバー２６１と、ベースカバー２６１が連設された壁部２５０ａの両側にある二つの壁部（側壁部）２５０ｃ，２５０ｄの先端に延設されるとともに、ベースカバー２６１の両端に接続された一対の側部カバー２６２，２６２と、ベースカバー２６１が連設された壁部２５０ｂと対向する壁部２５０ｅの先端部に枢着され、一対の側部カバー２６２，２６２間を開放する状態と閉塞する状態とに切り換え可能に設けられた可動カバー２６３とを備えている。本実施形態において、ベースカバー２６１及び可動カバー２６３は、ケーブル接続体２０…の横並び方向に延びる壁部２５０ｂ，２５０ｅに対して接続されている。そして、ベースカバー２６１及び可動カバー２６３の先端には、貫通穴Ｈの穿設された突片２６４，２６４が突設されており、ケーブルＬを接続しないときに可動カバー２６３が開閉されないよう、両突片２６４，２６４の貫通穴Ｈに挿通した線材で封印できるように形成されている。
【００４３】
本実施形態に係る接続具２は、以上の構成からなり、ケーブルＬの先端に取り付けられた接続子３を接続することを前提としている。そこで、上記構成の接続具２にケーブルＬを接続すべく、ケーブルＬの先端に取り付けられる構成について説明する。
【００４４】
上記構成の接続具２にケーブルＬを接続するために、ケーブルＬには、図５に示す如く、接続子３と、接続子３を包囲する筒状の絶縁接続子カバー４とが取り付けられる。前記接続子３は、導電性に優れたアルミや銅等の金属材料で形成されており、本実施形態においては平面視短冊状に形成されている。該接続子３は、ケーブルＬの先端部における絶縁被覆が剥がされて露呈した導体Ｃに対して電気的に接続されればよく、例えば、半田付け等で導体Ｃに接続してもよいが、本実施形態においては、接続子３の基端に対し、該接続子３と同じ素材で形成された筒状のスリーブ３０が連設されている。すなわち、接続子３及びスリーブ３０は、金属材料から一体的に成形されており、スリーブ３０を導体Ｃに圧着することで、接続子３がケーブルＬの導体Ｃに電気的に接続された状態で固定されるようになっている。
【００４５】
そして、前記絶縁接続子カバー４は、電気絶縁性を有する樹脂で成形したもので、ケーブルＬの軸心周りで回転可能に取り付けられるようになっている。より具体的に説明すると、絶縁接続子カバー４は、接続子３を包囲するために筒状に形成されたカバー本体４０と、該カバー本体４０の一端に連設されて先細りしたテーパー筒状部４１と、カバー本体４０又はテーパー筒状部４１の外周から径方向外方に延出した鍔状の把持部４２とを備えている。前記カバー本体４０は、絶縁端子カバー部２２０に内嵌可能な外径又は外嵌可能な内径に設定される。本実施形態に係るカバー本体４０は、絶縁端子カバー部２２０に外嵌可能な内径に設定される。より具体的には、本実施形態に係るカバー本体４０は、絶縁端子カバー部２２０に螺合できるように構成されており、絶縁端子カバー部２２０に対し、螺合することで外嵌した状態になるように構成されている。そのため、カバー本体４０の内周には、絶縁端子カバー部２２０の雄ネジと螺合する雌ネジが形成されている。
【００４６】
前記テーパー筒状部４１は、カバー本体４０と一体的に成型されたもので、先端の内径が基端側よりも小さく、ケーブルＬの外径（絶縁被覆の外径）と同等、或いはそれよりもやや大径に設定されている。前記把持部４２は、カバー本体４０及びテーパー筒状部４１と一体的に成型されたもので、周方向に間隔をあけて複数の凹部４２０…が形成されている。かかる凹部４２０…は、作業者の指の一部が嵌り込むように形成されており、絶縁接続子カバー４をケーブルＬの軸心回りで回転させる際に滑り止めとして機能するようになっている。
【００４７】
そして、本実施形態において、絶縁接続子カバー４がケーブルＬから脱落するのを阻止するために抜止部材５をケーブルＬに取り付けるようにしている。かかる抜止部材５は、導電性に優れた金属材料で形成されており、塑性変形可能な薄肉筒状部５０と、薄肉筒状の一端から径方向外方に延出した鍔部５１とを備えている。薄肉筒状部５０は、ケーブルＬの導体Ｃに外嵌できるように内径が設定されている。本実施形態において、薄肉筒状部５０の内径は、ケーブルＬの絶縁被覆の外径よりも小さく、ケーブルＬの導体Ｃの外径よりも大きく設定されている。上記構成の抜止部材５は、薄肉筒状部５０を導体Ｃに圧着した状態で、鍔部５１が絶縁接続子カバー４（テーパー筒状部４１）の内面に干渉するように形成されており、これによって絶縁接続子カバー４がケーブルＬから脱落するのを阻止できるようになっている。なお、本実施形態において、ケーブルＬに抜止部材５を取り付けるため、前記スリーブ３０は、抜止部材５の薄肉筒状部５０に外嵌できる内径に設定されている。
【００４８】
次に、これらをケーブルＬに取り付ける方法について説明すると、まず、図６（ａ）に示す如く、絶縁接続子カバー４に対してテーパー筒状部４１側からケーブルＬを挿通させる。このとき、予めケーブルＬの先端部における絶縁被覆を剥がしておくか、絶縁接続子カバー４にケーブルＬを挿通させた後に、ケーブルＬの先端部における絶縁被覆を剥がして導体Ｃを露呈させる。次いで、図６（ｂ）に示す如く、抜止部材５に対して鍔部５１側から導体Ｃを挿通させる。そして、鍔部５１が絶縁被覆の端面と接触（干渉）した状態で、薄肉筒状部５０をかしめて導体Ｃに圧着させる。そして、図６（ｃ）に示す如く、スリーブ３０を導体Ｃ（薄肉筒状部５０及び導体Ｃ）に外嵌した上で、該スリーブ３０をかしめて導体Ｃに対して直接的又は抜止部材５を介して間接的に圧着されることになる。そして、絶縁接続子カバー４をスライドさせると、テーパー筒状部４１の内周に抜止部材５の鍔部５１が干渉し、絶縁接続子カバー４が適正な配置で位置決めされることになる。すなわち、抜止部材５の鍔部５１がテーパー筒状部４１の内周面に干渉した状態で、カバー本体４０が接続子３を完全に包囲し、接続子３の先端が絶縁接続子カバー４（カバー本体４０）の先端よりも奥まった位置になる。そして、図６（ｄ）に示す如く、ケーブルＬを接続具２に接続するまでの間、絶縁接続子カバー４（カバー本体４０）の先端部にキャップＴを取り付けておく。このようにしておくことで、例えば、ケーブルＬが活線状態である場合に、何らか（導電性のあるもの）が接続子３に接触することがなく、短絡事故の発生が抑えられる。
【００４９】
次に、低圧電気計器１に対する接続具２の取り付け方、及び接続部に対するケーブルＬの接続の仕方について説明する。
【００５０】
まず、図７（ａ）に示す如く、各ケーブル接続体２０…の挿入部２００を低圧電気計器１のケーブル挿入穴１１０…に挿入し、しかる後に、図７（ｂ）に示す如く、ドライバー等の工具でケーブル押螺子１２を操作し、ケーブル押螺子１２…で挿入部２００を押さえる。この状態で、ケーブル押螺子１２…を操作するドライバー等の工具が、隣接するケーブル押螺子１２…や周辺のケーブル押螺子１２…に接触しても、充電状態にあるケーブルＬが接続されていないため、短絡事故が発生することはない。
【００５１】
そして、図７（ｃ）に示す如く、可動カバー２６３を開ける。なお、言うまでもないが、封印されている場合には封印を解いて可動カバー２６３を開ける。そうすると、可動カバー２６３に覆われていた絶縁端子カバー部２２０が露呈することになり、図８（ａ）及び図８（ｂ）に示す如く、該絶縁端子カバー部２２０内の接続端子部２１０に対し、ケーブルＬの先端に取り付けられた接続子３を接続する。そうすると、接続端子部２１０を包囲した絶縁端子カバー部２２０に接続子３も包囲された状態になる。
【００５２】
本実施形態において、上述の如く、ケーブルＬに絶縁接続子カバー４が取り付けられているため、把持部４２を持って絶縁接続子カバー４をケーブルＬの軸心周りで回転させ、カバー本体４０を絶縁端子カバー部２２０に螺合させると、絶縁接続子カバー４と絶縁端子カバー部２２０とがケーブルＬの軸心方向に相対的に移動することになり、これに伴って、接続子３が一対の導電性端子片２１１，２１１間に進入することになる。そうすると、一対の導電性端子片２１１，２１１が自己の弾性によって接続子３を両側から挟持することになる。すなわち、接続端子部２１０に対して接続子３が圧入されることになり、両者の圧接によってこれらが電気的に接続されることになる。そして、絶縁端子カバー部２２０と絶縁接続子カバー４との重なり合い（嵌合）で、導電性を有する接続端子部２１０や、接続子３、スリーブ３０等が一切外部に露呈することなく絶縁性のある絶縁端子カバー部２２０及び絶縁接続子カバー４によって覆われることになる。
【００５３】
以上のように、本実施形態に係る接続具２は、低圧電気計器１に接続すべきケーブルＬの数に対応して設けられた複数のケーブル接続体２０…と、複数のケーブル接続体２０…を保持する保持体２５とを備え、各ケーブル接続体２０…は、ケーブル挿入穴１１０…に挿入される導電性を有する挿入部２００と、挿入部２００に対して電気的に接続されるとともに、ケーブルＬの先端に取り付けられた接続子３を圧入可能に形成された導電性を有する接続端子部２１０と、接続端子部２１０を包囲する筒状の絶縁端子カバー部２２０を備え、絶縁端子カバー部２２０が接続端子部２１０毎に設けられているので、各ケーブル接続部１０の挿入部２００を低圧電気計器１のケーブル挿入穴１１０…に挿入した上で、ケーブル押螺子１２…で挿入部２００を押さえることで、ケーブル接続体２０…が低圧電気計器１に通電可能な状態で取り付けることができる。
【００５４】
また、低圧電気計器１に取り付けた低圧電気計器用ケーブル接続具２の接続端子部２１０に対し、ケーブルＬの先端に取り付けられた接続子３を接続すると、接続端子部２１０を包囲した絶縁端子カバー部２２０に接続子３も包囲された状態になるため、ケーブルＬの接続部分（導電性のある部分）が外部に露呈することがなく、充電状態であったとしてもケーブルＬの接続部分に何らかのものが接触して短絡するといった事態になることを確実に防止することができる。
【００５５】
その上、上記構成の接続具２は、ケーブルＬの先端に取り付けられた接続子３が圧入可能な導電性を有する接続端子部２１０を備えているため、ケーブルＬの先端に取り付けられた接続子３を接続端子部２１０に圧入するとその圧（押圧力）で接続子３と接続端子部２１０とを電気的に接続した状態で維持することができる。従って、上記構成の低圧電気計器用ケーブル接続具２は、ドライバー等の工具を用いることなく接続端子部２１０に対して接続子３を抜き差しするだけで、ケーブルＬの着脱を行うことができる。
【００５６】
また、接続端子部２１０は、所定の間隔をあけて配置された一対の導電性端子片２１１，２１１を備え、一対の導電性端子片２１１，２１１は、絶縁端子カバー部２２０の開口端から進入させた接続子３を挟持可能に構成されているので、接続端子部２１０に対する接続子３の挿入を円滑に行うことができる上に、接続子３と接続端子部２１０とを電気的に接続することができる。
【００５７】
さらに、ケーブルＬの先端部に接続子３を包囲する筒状の絶縁接続子カバー４がケーブルＬの軸心周りで回転可能に設けられ、絶縁端子カバー部２２０及び絶縁接続子カバー４は、互いに螺合可能に構成され、絶縁端子カバー部２２０及び絶縁接続子カバー４の螺合に伴って一対の導電性端子片２１１，２１１間に接続子３を挿入するように構成されているので、工具を用いることなくケーブルＬを簡単に接続することができる上に、絶縁端子カバー部２２０及び絶縁接続子カバー４の螺合でケーブルＬ（接続子３）とケーブル接続体２０…（接続端子部２１０）との接続を確実にすることができる。
【００５８】
次に、本発明の第二実施形態について説明する。なお、本実施形態に係る低圧電気計器用ケーブル接続具は、基本構成が第一実施形態と同様であるため、以下の説明において、第一実施形態と対応関係にある構成や同一の構成については、同一符号及び同一名称を付すこととする。
【００５９】
本実施形態に係る接続具２は、図９〜図１１に示す如く、第一実施形態と同様、低圧電気計器１に接続すべきケーブルＬ…の数（本実施形態においては六本）に対応して設けられた複数のケーブル接続体２０…と、複数のケーブル接続体２０…を保持する保持体２５とを備えている。
【００６０】
本実施形態に係る接続具１においても、電源側のケーブルＬ及び負荷側のケーブルＬのそれぞれが三本ずつ接続される低圧電気計器１（単相三線式、又は三相用の低圧電気計器１）を接続対象としており、ケーブル接続体２０…が合計六つ設けられている。
【００６１】
各ケーブル接続体２０…は、第一実施形態と同様に、ケーブル挿入穴１１０…に挿入される導電性を有する挿入部２００と、挿入部２００に対して電気的に接続されるとともに、ケーブルＬの先端に取り付けられた接続子３が圧入可能な導電性を有する接続端子部２１０とを備えている。また、各ケーブル接続体２０…は、それぞれ自己の接続端子部２１０を包囲する筒状の絶縁端子カバー部２２０を備えている。
【００６２】
より具体的に説明すると、本実施形態においても、ケーブル接続体２０…は、図１１（ｂ）に示す如く、挿入部２００及び接続端子部２１０が一体的に成型された導電部材２１と、挿入部２００を除いて導電部材２１を覆う被覆部材２２とを備えている。
【００６３】
前記導電部材２１は、銅やアルミ等の導電性に優れた金属材料で成型されたもので、挿入部２００、接続端子部２１０に加え、これらを接続する接続導電部２１５を備えている。前記挿入部２００は、ケーブル挿入穴１１０…に挿入可能な外径に設定される。本実施形態に係る導電部材２１は、挿入部２００及び接続導電部２１５が連続して形成されており、これらが同径で且つ同心をなしている。すなわち、挿入部２００及び接続導電部２１５は、一本の円柱体で形成されている。
【００６４】
前記接続端子部２１０は、所定の間隔をあけて配置された一対の導電性端子片２１１，２１１を備え、挿入された接続子３を自己の弾性によって挟み込んで挟持するようになっている。一対の導電性端子片２１１，２１１のそれぞれは、一端（基端部）が接続導電部２１５の端面に接続されている。また、一対の導電性端子片２１１，２１１は、他端部（先端部）が相手側の導電性端子片２１１，２１１から遠ざかるように折り曲げられており、先端部において、基端側から先端に向けて互いの間隔が拡大している。これにより、一対の導電性端子片２１１，２１１は、接続子３を他端側から容易に挿入できるようになっている。
【００６５】
前記被覆部材２２は、絶縁材料（例えば、樹脂）を成型したもので、一面から接続端子部２１０を突出させるとともに、前記一面とは反対の面側から挿入部２００を突出させるように、接続導電部２１５を被覆したブロック状の被覆部材本体２２１と、該被覆部材２２の一面に突設され、接続端子部２１０を包囲した筒状の絶縁端子カバー部２２０とを備えている。前記絶縁端子カバー部２２０は、絶縁接続子カバー４と螺合可能に形成されており、本実施形態においては、外周に雄ネジが形成されている。
【００６６】
本実施形態に係る接続具２は、図１２に示す如く、複数のケーブル接続体２０…を横並びに配置した状態で、それぞれが横方向にスライドできるようになっている。すなわち、本実施形態に係る接続具２は、被覆部材本体２２１の横方向のサイズが第一実施形態よりも狭く設定されており、複数のケーブル接続体２０…を保持体２５の保持部２５０内で横並びに配置したときに、隣り合うケーブル接続体２０…が位置決めし合うことのように（被覆部材本体２２１間に隙間が形成されるように）なっている。
【００６７】
前記保持体２５は、複数のケーブル接続体２０…を保持するように構成されている。すなわち、保持体２５は、複数のケーブル接続体２０…を横並び状態で維持させつつ横方向にスライド可能な状態で保持するように構成されている。
【００６８】
本実施形態に係る保持体２５は、図９及び図１１（ｂ）に示す如く、当該接続具２のケーシングであり、各ケーブル接続体２０…を保持する保持部２５０と、該保持部２５０に保持されたケーブル接続体２０…の接続端子部２１０、及びこれを包囲した絶縁端子カバー部２２０を覆うカバー２６０とを備えている。
【００６９】
前記保持部２５０は、一面を開放させた箱状に形成されるとともに、その開放した一面と対向する壁部２５０ａにケーブル接続体２０…の挿入部２００を挿通させるための挿通穴２５１…が穿設されている。本実施形態では、上述の如く、複数のケーブル接続体２０…のスライドを許容すべく、開放した一面と対向する壁部２５０ａに複数のケーブル接続体２０…の挿入部２００を挿通させるための挿通穴２５１…が長穴状に形成されている（図１０参照）。
【００７０】
本実施形態に係る保持部２５０は、横並びに配置される複数のケーブル接続体２０…の被覆部材本体２２１間に隙間をあけた状態で配置されるようになっている。
【００７１】
本実施形態に係る保持部２５０を箱状に形成すべく枠状をなす壁部２５０ｂ，２５０ｃ，２５０ｄ，２５０ｅ（挿通穴２５１の形成された壁部２５０ａの外周に接続された四つの壁部２５０ｂ，２５０ｃ，２５０ｄ，２５０ｅ）のうち、一つの壁部２５０ｅには、ケーブル接続体２０…が横並びに配置される方向に長手をなす窓２７０が形成されており、該窓２７０を介して内部のケーブル接続体２０…（被覆部材本体２２１）の配置が把握できるようになっている。
【００７２】
そして、上述の如く、複数のケーブル接続体２０…のスライドを許容しつつ、これらを保持部２５０内に維持させるべく、図１０、図１１（ａ）及び図１１（ｂ）に示す如く、窓２７０の形成された壁部２５０ｅの先端部の内面、及びその壁部２５０ｅと対向する壁部２５０ｂの先端部の内面には、ケーブル接続体２０…の横並び方向に延びる突片２６５，２６５が設けられている。なお、図１０には、窓２７０の形成された壁部２５０ｅの先端部の内面に突設された突片２６５は現れていない。これにより、保持部２５０内に配置された各ケーブル接続体２０…の被覆部材本体２２１は、横並び方向のスライドが許容される一方、接続導電部２１５の軸心方向の移動が規制されている。すなわち、各ケーブル接続体２０…は、被覆部材本体２２１における絶縁端子カバー部２２０の突設された一面の隅部が突片２６５，２６５にガイドされ、被覆部材本体２２１における前記一面とは反対側の隅部が長穴状の挿通穴２５１の形成された壁部２５０ａによってガイドされており、これによって各ケーブル接続体２０…は、接続部の軸心方向の移動が規制されつつ横並び方向のスライド可能になっている。
【００７３】
そして、カバー２６０は、図１１（ｂ）に示す如く、接続端子部２１０に対する外部からのアクセスを制限するために設けられたもので、本実施形態においては、保持体２５を箱状に形成すべく枠状をなす壁部２５０ｂ，２５０ｃ，２５０ｄ，２５０ｅ（挿通穴２５１の形成された壁部２５０ａの外周に接続された四つの壁部２５０ｂ，２５０ｃ，２５０ｄ，２５０ｅ）のうち、一つの壁部２５０ｂの先端に連設されたベースカバー２６１と、ベースカバー２６１が連設された壁部２５０ａの両側にある二つの壁部（側壁部）２５０ｃ，２５０ｄの先端に延設されるとともに、ベースカバー２６１の両端に接続された一対の側部カバー２６２，２６２と、ベースカバー２６１が連設された壁部２５０ｂと対向する壁部２５０ｅの先端部に枢着され、一対の側部カバー２６２，２６２間を開放する状態と閉塞する状態とに切り換え可能に設けられた可動カバー２６３とを備えている。
【００７４】
本実施形態において、ベースカバー２６１及び可動カバー２６３は、ケーブル接続体２０…の横並び方向に延びる壁部２５０ｂ，２５０ｅに対して接続されている。そして、ベースカバー２６１及び可動カバー２６３の先端には、貫通穴Ｈの穿設された突片２６４，２６４が突設されており、ケーブルＬを接続しないときに可動カバー２６３が開閉されないよう、両突片２６４，２６４の貫通穴Ｈに挿通した線材で封印できるように形成されている。
【００７５】
なお、本実施形態に係る保持体２５は、図９及び図１０に示す如く、側壁部２５０ｃ，２５０ｄ、一対の側部カバー２６２，２６２、挿通穴２５１…の形成された壁部２５０ａを通る線上で二つに分割されており、複数のケーブル接続体２０…（被覆部材本体２２１）を挟み込むようにして二分割にされた部材２５ａ，２５ｂを組み合わせることで形成されている。なお、図１０において、二つの部材２５ａ，２５ｂを組み合わせることで、上述した側壁部２５０ｃ，２５０ｄ、一対の側部カバー２６２，２６２、挿通穴２５１…の形成された壁部２５０ａとなる部分については、組み合わせ後の構成の符号をかっこ書きで示している。
【００７６】
本実施形態に係る接続具２は、以上の構成からなり、次に、低圧電気計器１に対する接続具２の取り付け方、及び接続部に対するケーブルＬの接続の仕方について説明する。
【００７７】
まず、本実施形態においては、図１２に示す如く、接続具２の各ケーブル接続体２０…を適宜横方向にスライドさせ、各ケーブル接続体２０…の挿入部２００を接続対象となる低圧電気計器１のケーブル挿入穴１１０…の配置に対応させる。そして、図１１（ｂ）に示す如く、第一実施形態と同様に、各ケーブル接続体２０…の挿入部２００を低圧電気計器１のケーブル挿入穴１１０…に挿入し、しかる後に、ケーブル押螺子１２…で挿入部２００を押さえる。この状態で、ケーブル押螺子１２…を操作するドライバー等の工具が、隣接するケーブル押螺子１２…や周辺のケーブル押螺子１２…に接触しても、充電状態にあるケーブルＬが接続されていないため、短絡事故が発生することはない。
【００７８】
そして、可動カバー２６３を開ける。なお、言うまでもないが、封印されている場合には封印を解いて可動カバー２６３を開ける。そうすると、可動カバー２６３に覆われていた絶縁端子カバー部２２０が露呈することになり、該絶縁端子カバー部２２０内の接続端子部２１０に対し、ケーブルＬの先端に取り付けられた接続子３を接続する。そうすると、接続端子部２１０を包囲した絶縁端子カバー部２２０に接続子３も包囲された状態になる。
【００７９】
本実施形態において、上述の如く、ケーブルＬに絶縁接続子カバー４が取り付けられているため、把持部４２を持って絶縁接続子カバー４をケーブルＬの軸心周りで回転させ、カバー本体４０を絶縁端子カバー部２２０に螺合させると、絶縁接続子カバー４と絶縁端子カバー部２２０とがケーブルＬの軸心方向に相対的に移動することになり、これに伴って、接続子３が一対の導電性端子片２１１，２１１間に進入することになる。そうすると、一対の導電性端子片２１１，２１１が自己の弾性によって接続子３を両側から挟持することになる。すなわち、接続端部に対して接続子３が圧入されることになり、両者の圧接によってこれらが電気的に接続されることになる。そして、絶縁端子カバー部２２０と絶縁接続子カバー４との重なり合い（嵌合）で、導電性を有する接続端部や、接続子３、スリーブ３０等が一切外部に露呈することなく絶縁性のある絶縁端子カバー部２２０及び絶縁接続子カバー４によって覆われることになる。
【００８０】
以上のように、本実施形態に係る接続具２は、低圧電気計器１に接続すべきケーブルＬの数に対応して設けられた複数のケーブル接続体２０…と、複数のケーブル接続体２０…を保持する保持体２５とを備え、各ケーブル接続体２０…は、ケーブル挿入穴１１０…に挿入される導電性を有する挿入部２００と、挿入部２００に対して電気的に接続されるとともに、ケーブルＬの先端に取り付けられた接続子３を圧入可能に形成された導電性を有する接続端子部２１０と、接続端子部２１０を包囲する筒状の絶縁端子カバー部２２０を備え、絶縁端子カバー部２２０が接続端子部２１０毎に設けられているので、各ケーブル接続部１０の挿入部２００を低圧電気計器１のケーブル挿入穴１１０…に挿入した上で、ケーブル押螺子１２…で挿入部２００を押さえることで、ケーブル接続体２０…が低圧電気計器１に通電可能な状態で取り付けることができる。
【００８１】
また、低圧電気計器１に取り付けた低圧電気計器用ケーブル接続具２の接続端子部２１０に対し、ケーブルＬの先端に取り付けられた接続子３を接続すると、接続端子部２１０を包囲した絶縁端子カバー部２２０に接続子３も包囲された状態になるため、ケーブルＬの接続部分（導電性のある部分）が外部に露呈することがなく、充電状態であったとしてもケーブルＬの接続部分に何らかのものが接触して短絡するといった事態になることを確実に防止することができる。
【００８２】
その上、上記構成の接続具２は、ケーブルＬの先端に取り付けられた接続子３が圧入可能な導電性を有する接続端子部２１０を備えているため、ケーブルＬの先端に取り付けられた接続子３を接続端子部２１０に圧入するとその圧（押圧力）で接続子３と接続端子部２１０とを電気的に接続した状態で維持することができる。従って、上記構成の低圧電気計器用ケーブル接続具２は、ドライバー等の工具を用いることなく接続端子部２１０に対して接続子３を抜き差しするだけで、ケーブルＬの着脱を行うことができる。
【００８３】
また、接続端子部２１０は、所定の間隔をあけて配置された一対の導電性端子片２１１，２１１を備え、一対の導電性端子片２１１，２１１は、絶縁端子カバー部２２０の開口端から進入させた接続子３を挟持可能に構成されているので、接続端子部２１０に対する接続子３の挿入を円滑に行うことができる上に、接続子３と接続端子部２１０とを電気的に接続することができる。
【００８４】
さらに、本実施形態に係る接続具２は、低圧電気計器１に設けられた複数のケーブル接続部１０が横並びに配置されていることを前提に、前記複数のケーブル接続体２０…は、横並びに配置され、前記保持体２５が複数のケーブル接続体２０…のそれぞれを横方向にスライド可能に保持しているので、低圧電気計器１のメーカーや機種に関係なく低圧電気計器１に接続することができる。すなわち、低圧電気計器１は、メーカーや機種によってケーブル接続部１０の配置（間隔）が様々であるが、上述の如く、前記保持体２５が複数のケーブル接続体２０…のそれぞれを横方向にスライド可能に保持することで、各ケーブル接続体２０…の挿入部２００をケーブル挿入穴１１０…の配置に対応させることができる。従って、上記構成の低圧電気計器用ケーブル接続具２は、低圧電気計器１のメーカーや機種に関係なく、低圧電気計器１に接続することができる。
【００８５】
さらに、ケーブルＬの先端部に接続子３を覆う筒状の絶縁接続子カバー４がケーブルＬの軸心周りで回転可能に設けられ、絶縁端子カバー部２２０及び絶縁接続子カバー４は、互いに螺合可能に構成され、絶縁端子カバー部２２０及び絶縁接続子カバー４の螺合に伴って一対の導電性端子片２１１，２１１間に接続子３を挿入するように構成されているので、工具を用いることなくケーブルＬを簡単に接続することができる上に、絶縁端子カバー部２２０及び絶縁接続子カバー４の螺合でケーブルＬ（接続子３）とケーブル接続体２０…（接続端子部２１０）との接続を確実にすることができる。
【００８６】
次に、本発明の第三実施形態について説明する。本実施形態に係る低圧電気計器は、一般家庭や工場設備等に設置される積算電力計やその他計器類であり、図１３（ａ）に示す如く、電源側（一次側）のケーブルＬ、及び、負荷側（二次側）のケーブルＬを接続するためのケーブル接続部１０を備えている。
【００８７】
なお、低圧電気計器１は、ケーブル接続部１０以外に、電力を計測するための計測手段や、計測手段によって取得された計測結果を表示するための表示部等を備えているが、これらの構成についての説明は割愛し、ここではケーブル接続部１０についてのみ説明する。また、本実施形態に係る低圧電気計器１は、第一実施形態及び第二実施形態と同様にケーブルＬの先端に接続された接続子３を介してケーブルＬを接続するようにしたものであり、第一及び第二実施形態で説明した接続子３や絶縁接続子カバー４等を取り付けたケーブルＬを接続することを対象としているため、第一及び第二実施形態で説明した構成と対応する構成や同一の構成については、同一名称及び同一符号を付し、第一及び第二実施形態を参照してここでの説明を割愛することとする。
【００８８】
ケーブル接続部１０は、ケーブルＬの先端に取り付けられた接続子３が圧入可能な導電性を有する複数の接続端子部２１０と、各接続端子部２１０を包囲するように設けられた筒状の絶縁端子カバー部２２０とを備えている。そして、ケーブル接続部１０は、接続端子部２１０、及び絶縁端子カバー部２２を覆う可動カバー２６３が設けられており、該可動カバー２６３を開けることで接続端子部２１０、及び絶縁端子カバー部２２が露呈するようになっている。
【００８９】
前記接続端子部２１０は、所定の間隔をあけて配置された一対の導電性端子片２１１，２１１を備えている。一対の導電性端子片２１１，２１１は、絶縁端子カバー部２２０の開口端から進入させた接続子３を挟持可能に構成されている（図４（ｂ）参照）。すなわち、一対の導電性端子片２１１，２１１は、接続子３の厚みよりもやや狭い間隔をあけて配置されており、挿入された接続子３を自己の弾性によって挟み込んで挟持するようになっている。一対の導電性端子片２１１，２１１のそれぞれは、一端（基端部）が計測手段に電気的に接続接続されている。また、一対の導電性端子片２１１，２１１は、他端部（先端部）が相手側の導電性端子片２１１，２１１から遠ざかるように折り曲げられており、先端部において、基端側から先端に向けて互いの間隔が拡大している。これにより、一対の導電性端子片２１１，２１１は、接続子３を容易に進入させることができるようになっている。
【００９０】
前記絶縁端子カバー部２２０は、当該低圧電気計器１のフレームＦに接続されている。そして、絶縁端子カバー部２２０は、ケーブルＬに取り付けられた絶縁接続子カバー４と螺合可能に形成されており、本実施形態においては、外周に雄ネジが形成されている。なお、低圧電気計器１においても、ケーブルＬを接続しないときに可動カバー２６３が開閉されないよう封印できるようになっている。
【００９１】
本実施形態に係る接続具２は、以上の構成からなり、次に、低圧電気計器１に対するケーブルＬの接続の仕方について説明する。
【００９２】
まず、可動カバー２６３を開ける。なお、言うまでもないが、封印されている場合には封印を解いて可動カバー２６３を開ける。そうすると、可動カバー２６３に覆われていた絶縁端子カバー部２２０が露呈することになり、図１３（ｂ）、図１４（ａ）及び図１４（ｂ）に示す如く、該絶縁端子カバー部２２０内の接続端子部２１０に対し、ケーブルＬの先端に取り付けられた接続子３を接続する。そうすると、接続端子部２１０を包囲した絶縁端子カバー部２２０に接続子３も包囲された状態になる。
【００９３】
本実施形態において、上述の如く、ケーブルＬに絶縁接続子カバー４が取り付けられているため、把持部４２を持って絶縁接続子カバー４をケーブルＬの軸心周りで回転させ、カバー本体４０を絶縁端子カバー部２２０に螺合させると、絶縁接続子カバー４と絶縁端子カバー部２２０とがケーブルＬの軸心方向に相対的に移動することになり、これに伴って、接続子３が一対の導電性端子片２１１，２１１間に進入することになる。そうすると、一対の導電性端子片２１１，２１１が自己の弾性によって接続子３を両側から挟持することになる。すなわち、接続端部に対して接続子３が圧入されることになり、両者の圧接によってこれらが電気的に接続されることになる。そして、絶縁端子カバー部２２０と絶縁接続子カバー４との重なり合い（嵌合）で、導電性を有する接続端子部２１０や、接続子３、スリーブ３０等が一切外部に露呈することなく絶縁性のある絶縁端子カバー部２２０及び絶縁接続子カバー４によって覆われることになる。
【００９４】
以上のように、本実施形態に係る低圧電気計器１は、電源側のケーブルＬ、及び負荷側のケーブルＬを接続するためのケーブル接続部１０を備えた低圧電気計器１であって、ケーブル接続部１０は、接続すべきケーブルＬの数に対応して設けられ、ケーブルＬの先端に取り付けられた接続子３を圧入可能に形成された導電性を有する複数の接続端子部２１０…と、接続端子部２１０を包囲する筒状の絶縁端子カバー部２２０とを備え、絶縁端子カバー部２２０が接続端子部２１０毎に設けられているので、ケーブル接続部１０の接続端子部２１０に対し、ケーブルＬの先端に取り付けられた接続子３を接続すると、接続端子部２１０を包囲した絶縁端子カバー部２２０に接続子３も包囲された状態になる。
【００９５】
これにより、ケーブルＬの接続部分（導電性のある部分）が外部に露呈することがないため、充電状態であったとしてもケーブルＬの接続部分に何らかが接触して短絡するといった事態になることを確実に防止することができる。
【００９６】
その上、上記構成の低圧電気計器１は、ケーブルＬの先端に取り付けられた接続子３が圧入可能な導電性を有する接続端子部２１０を備えているため、ケーブルＬの先端に取り付けられた接続子３を接続端子部２１０に圧入するとその圧（押圧力）で接続子３と接続端子部２１０とを電気的に接続した状態で維持することができる。従って、上記構成の低圧電気計器用ケーブル接続具２は、ドライバー等の工具を用いることなく接続端子部２１０に対して接続子３を抜き差しするだけで、ケーブルＬの着脱を行うことができる。
【００９７】
また、接続端子部２１０は、所定の間隔をあけて配置された一対の導電性端子片２１１，２１１を備え、一対の導電性端子片２１１，２１１は、絶縁端子カバー部２２０の開口端から進入させた接続子３を挟持可能に構成されているので、接続端子部２１０に対する接続子３の挿入を円滑に行うことができる上に、接続子３と接続端子部２１０とを電気的に接続することができる。
【００９８】
さらに、ケーブルＬの先端部に接続子３を包囲する筒状の絶縁接続子カバー４がケーブルＬの軸心周りで回転可能に設けられ、絶縁端子カバー部２２０及び絶縁接続子カバー４は、互いに螺合可能に構成され、絶縁端子カバー部２２０及び絶縁接続子カバー４の螺合に伴って一対の導電性端子片２１１，２１１間に接続子３を挿入するように構成されているので、ドライバー等の工具を用いることなくケーブルＬを簡単に接続することができる上に、絶縁端子カバー部２２０及び絶縁接続子カバー４の螺合でケーブルＬ（接続子３）とケーブル接続体２０…（接続端子部２１０）との接続を確実にすることができる。
【００９９】
なお、本発明は、上記実施形態に限定されるものではなく、本発明の要旨を逸脱しない範囲で適宜変更可能である。
【０１００】
上記各実施形態において、ケーブルＬに対して回転可能な絶縁接続子カバー４を取り付け、これを絶縁端子カバー部２２０に螺合させることで、接続端子部２１０に接続子３が接続されるようにしたが、これに限定されるものではなく、例えば、ケーブルＬの先端に接続子３のみを取り付け、その接続子３を接続端子部２１０（一対の導電性端子片２１１，２１１間）に圧入するようにしてもよい。このように接続子３を絶縁端子カバー部２２０に包囲された接続端子部２１０に圧入すると、接続子３も絶縁端子カバー部２２０に包囲された状態になる。従って、導電部分が露呈しなくなるため、不用意に短絡事故の発生を防止することができる。
【０１０１】
また、接続端子部２１０に対して接続子３を抜き差しすることで、工具を用いることなくケーブルＬを接続することができる。但し、上述の如く、接続端子部２１０に対する接続子３の接続を圧入のみに頼ると、ケーブルＬの重さ等で接続子３が接続端子部２１０から脱落する虞があるため、上記実施形態のように絶縁端子カバー部２２０と絶縁接続子カバー４とを螺合させ、ケーブルＬの固定を確実にするようにすることが好ましい。
【０１０２】
上記各実施形態において、絶縁端子カバー部２２０に対して絶縁接続子カバー４が外嵌した状態になるようにしたが、これに限定されるものではなく、絶縁接続子カバー４に対して絶縁端子カバー部２２０が外嵌した状態になるようにしてもよい。
【０１０３】
従って、絶縁端子カバー部２２０の内周に雌ネジを形成し、絶縁接続子カバー４の外周に雄ネジを形成し、これら雄雌の螺子を螺合させるようにしてもよい。
【０１０４】
上記各実施形態において、ケーブルＬに接続する接続子３を短冊状のものを採用したが、これに限定されるものではなく、断面多角形状或いは断面円形状の接続子３であってもよい。但し、接続端子部２１０を一対の導電性端子片２１１，２１１で構成する場合であって、接続子３に対する圧着を確実にする場合には、断面多角形状、すなわち、一対の導電性端子が挟持する部位が平面的（真っ直ぐ）な接続子３であることが好ましい。また、一対の導電性端子片２１１，２１１を先端側ほど間隔が大きくなるようにハの字状に配置するとともに、接続子３を楔状に形成したものを採用するようにしてもよい。
【０１０５】
上記各実施形態において、接続端子部２１０を一対の導電性端子片２１１，２１１で構成したが、これに限定されるものではなく、例えば、接続子３を棒状にするとともに、その棒状の接続子３が圧入される接続端子部２１０（例えば、内部に付勢手段が設けられ、挿入された接続子３に付勢手段が圧接するように構成された接続端子部２１０）であってもよい。また、接続子３にバナナ端子を採用すれば、接続端子部２１０を単なる筒状に形成してもよい。
【０１０６】
上記第一及び第二実施形態において、挿入部２００と接続導電部２１５とを一本の円柱体で構成したが、これに限定されるものではなく、例えば、挿入部２００と接続導電部２１５とを異径で形成したり、挿入部２００と接続導電部２１５とを断面形状を異ならせて形成したりしてもよい。但し、挿入部２００は、低圧電気計器１のケーブル挿入穴１１０に挿入でき、且つ、ケーブル押螺子１２で固定できる形状であることは勿論のことである。また、接続具２及び低圧電気計器１は、接続子３を接続端子部２１０に横方向又は斜め下方から圧入できるようにしてもよい。すなわち、接続端子部２１０を接続導電部２１５に対して所定角度をなすように連設したり、接続導電部２１５に対して挿入部２００が所定角度をなす（傾斜する）ように挿入部２００と接続導電部２１５とを形成したりするようにしてもよい。このようにすれば、接続端子部２１０（絶縁端子カバー部２２０）の先端側とベースカバー２６１（或いは、ベースカバー２６１を設けない場合には建物等の壁面）との間隔が広くなるため、接続端子部２１０に対する接続子３の接続及び絶縁端子カバー部２２０に対する絶縁接続子カバー４の接続を行うため作業スペースが十分に確保され、ケーブルＬの接続作業を容易に行うことができる。
【０１０７】
上記第一実施形態において、ケーブル接続体２０…を導電部材２１と被覆部材２２とで構成し、保持体（ケーシング）２５で被腹部材２２（被覆部材本体２２１）を保持するようにしたが、例えば、図１５に示す如く、ケーブル接続体２０…を導電部材２１のみで構成し、複数の導電部材２１が所定の配置になるように共通の被覆部材２２で保持し、被覆部材２２を保持体２５としてもよい。従って、この場合においては、ケーブル接続体２０が保持体２５としての被覆部材２２に保持されるため、ケーシング（第一実施形態における保持体２５）を必ずしも採用する必要はない。そして、ケーシングを設けることなく、単一（共通）の被覆部材２２（保持体２５）でケーブル保持体２０…を保持する場合、接続端子部２１０にケーブルＴを接続するまでの間、絶縁端子カバー部２２０にキャップＴ１を取り付け、接続端子部２１０が外部に露呈させないようにすればよい。
【０１０８】
上記第一及び第二実施形態において、ケーブル接続体２０…を導電部材２１と被覆部材２２とで構成し、該被覆部材２２の一構成として絶縁端子カバー部２２０を設けたが、これに限定されるものではなく、例えば、第二実施形態のように二分割された部材２５ａ，２５ｂを組み合わせることでケーシングとなるもので保持体２５を構成し、その二つの部材２５ａ，２５ｂを組み合わせたときに、各接続端子部２１０を包囲した筒状の絶縁端子カバー部２２０が形成されるようにしてもよい。すなわち、分割された二つの部材２５ａ，２５ｂのそれぞれに半円筒状の部位を形成しておき、二つの部材２５ａ，２５ｂを組み合わせることで、半円筒状の部位同士が円筒状になって接続端子部２１０を包囲した絶縁端子カバー部２２０となるようにしてもよい。
【０１０９】
また、二つの部材２５ａ，２５ｂを組み合わせることで、一部の絶縁端子カバー部２２０が形成され、残りの絶縁端子カバー部２２０がケーブル接続体２０…を構成する被覆部材２２の一構成とされてもよい。すなわち、ケーブル接続体２０又は保持体２５の少なくとも何れか一方が接続端子部２１０を包囲する筒状の絶縁端子カバー部２２０を備えていればよい。
【０１１０】
上記各実施形態において、ケーブル接続体２０の挿入部２００を接続導電部２１５と一体的に形成したが、これに限定されるものではなく、例えば、挿入部２００と接続導電部２１５とを別体で形成し、接続導電部２１５に対して金属成形品或いはケーブル（導体）を挿入部２００として接続するようにしてもよい。
【符号の説明】
【０１１１】
１…低圧電気計器、２…接続具（低圧電気計器用ケーブル接続具）、３…接続子、４…絶縁接続子カバー、５…抜止部材、１０…ケーブル接続部、１１…接続部本体、１２…ケーブル押螺子、２０…ケーブル接続体、２１…導電部材、２２…被覆部材、２５…保持体、２５ａ，２５ｂ…部材、３０…スリーブ、４０…カバー本体、４１…テーパー筒状部、４２…把持部、５０…薄肉筒状部、５１…鍔部、１１０…ケーブル挿入穴、２００…挿入部、２１０…接続端子部、２１１…導電性端子片、２１５…接続導電部、２２０…絶縁端子カバー部、２２１…被覆部材本体、２２２…筒状部、２５０…保持部、２５１…挿通穴、２６０…カバー、２６１…ベースカバー、２６２…側部カバー、２６３…可動カバー、２６４，２６４…突片、４２０…凹部、Ｃ…導体、Ｈ…貫通穴、Ｌ…ケーブル、Ｔ…キャップ
【図１】
2011069791.tif 000003
【図２】
2011069791.tif 000004
【図３】
2011069791.tif 000005
【図４】
2011069791.tif 000006
【図５】
2011069791.tif 000007
【図６】
2011069791.tif 000008
【図７】
2011069791.tif 000009
【図８】
2011069791.tif 000010
【図９】
2011069791.tif 000011
【図１０】
2011069791.tif 000012
【図１１】
2011069791.tif 000013
【図１２】
2011069791.tif 000014
【図１３】
2011069791.tif 000015
【図１４】
2011069791.tif 000016
【図１５】
2011069791.tif 000017